(57)【要約】【課題】光源が揺れ動くことなく安定した照明効果を享受することができる照明機能付き筆記具を提供すること。【解決手段】軸筒１の先端部に備えられた筆記チップ３を覆うようにして軸筒１に対して着脱可能に装着されたキャップ部材４が具備される。前記キャップ部材４に備えられたクリップ部１０には、その長手方向に沿って、面発光光源としての有機ＥＬ素子１１が装着されている。前記キャップ部材４を単独で紙面上に載置することで、クリップ部１０の長手方向の一辺が紙面に接するようにして安定する。したがって、クリップ部１０に装着された有機ＥＬ素子１１からの光を、安定して紙面に向けて照射することが可能となる。【選択図】図１
2008201071.tif 000002
【特許請求の範囲】
【請求項１】
軸筒の先端部に筆記チップが備えられ、前記筆記チップを覆うようにして前記軸筒に対して着脱可能に装着されるキャップ部材からなる筆記具であって、
前記キャップ部材には、面発光光源が装着されていることを特徴とする照明機能付き筆記具。
【請求項２】
前記キャップ部材に備えられたクリップ部の長手方向に沿って、前記面発光光源が装着されていることを特徴とする請求項１に記載された照明機能付き筆記具。
【請求項３】
前記面発光光源が有機ＥＬ素子により構成され、前記キャップ部材に、前記有機ＥＬ素子を点灯駆動させる電源部およびスイッチが具備されていることを特徴とする請求項１および請求項２に記載された照明機能付き筆記具。
【請求項４】
前記有機ＥＬ素子は、文字、図形を表示可能に構成されていることを特徴とする請求項１ないし請求項３のいずれか１項に記載された照明機能付き筆記具。
【請求項５】
前記筆記チップが、ボールペン、マーキングペン、万年筆の一または二以上の組み合わせにより構成されていることを特徴とする請求項１ないし請求項４のいずれか１項に記載された照明機能付き筆記具。
【発明の詳細な説明】
【技術分野】
【０００１】
この発明は、ボールペンなどの筆記具において、その筆記チップを覆うキャップ部材に面発光光源を備えた照明機能付き筆記具に関する。
【背景技術】
【０００２】
例えばプロジェクターやＯＨＰなどを用いた会議室などにおいては、暗い環境下においてメモをとりにくい、もしくは手元の資料を参照しにくいという不自由な問題に遭遇する。そこで、筆記具内に照明装置を具備させたものが多数提案されており、次に示す特許文献１および２などにも開示されている。
【特許文献１】特開２００２−６７５８０号公報
【特許文献２】特開２００５−３４９８２５号公報
【発明の開示】
【発明が解決しようとする課題】
【０００３】
ところで、前記特許文献１に開示された筆記具においては、ボールペンなどの筆記具本体の軸筒内に豆電球などの光源を収容し、光透過性の素材により構成された軸筒を介して筆記チップの周辺部分を局所的に照明することができるように構成されている。また、前記特許文献２に開示された筆記具においては、軸筒の側面等に面状の発光部を形成し、この発光部において文字或いは図形等を発光表示させることが開示されている。
【０００４】
前記したように照明装置を具備させた従来の筆記具においては、筆記を行う軸筒内に、もしくは軸筒の側面等に発光部を形成した構成になされており、したがって、前記筆記具によって筆記を行う状態においては、筆記に伴って光源も揺れ動くことになる。このために、安定した照明効果を期待することができない。
【０００５】
また、前記したように軸筒側に発光部が配置された従来の筆記具の構成においては、特に軸筒の先端部側（筆記チップ側）に光が投射されるように構成されている。したがって、前記したようにプロジェクターを用いる暗い会議室において、資料等を参照しようとする場合においては、軸筒を資料の面に直交させた筆記時と同様の姿勢で光を照射させる必要があり、使い勝手がよくないという問題を抱えている。
【０００６】
この発明は、前記した従来の照明装置を具備した筆記具の問題点に着目してなされたものであり、筆記する場合においても、また資料等を参照しようとする場合においても、光源が揺れ動くことなく安定した照明効果を享受することができ、さらに軸筒を資料の面に直交させた状態で使用しなければならない使い勝手の悪さを改善することができる照明機能付き筆記具を提供することを課題とするものである。
【課題を解決するための手段】
【０００７】
前記した課題を解決するためになされたこの発明にかかる照明機能付き筆記具は、軸筒の先端部に筆記チップが備えられ、前記筆記チップを覆うようにして前記軸筒に対して着脱可能に装着されるキャップ部材からなる筆記具であって、前記キャップ部材には、面発光光源が装着されている点に特徴を有する。
【０００８】
この場合、好ましくは前記キャップ部材に備えられたクリップ部の長手方向に沿って、前記面発光光源を装着した構成にされる。加えて、前記面発光光源が有機ＥＬ素子により構成され、前記キャップ部材に、前記有機ＥＬ素子を点灯駆動させる電源部およびスイッチを具備した構成とすることが望ましい。
【０００９】
この場合、前記有機ＥＬ素子は、文字、図形を表示可能に構成されていることが望ましい。そして、前記した構成の筆記具は、その筆記チップとしてボールペン、マーキングペン、万年筆の一または二以上の組み合わせを備えたものに好適に採用することができる。
【発明の効果】
【００１０】
前記した照明機能付き筆記具によると、キャップ部材側に例えば有機ＥＬ素子による面発光光源を装着した構成にされているので、筆記具本体の軸筒から前記キャップ部材を取り外し、筆記しようとする紙面や、参照しようとする資料上に前記キャップ部材を適宜載置することで、安定した照明光を得ることができる。
【００１１】
特に前記キャップ部材に備えられたクリップ部の長手方向に沿って、面発光光源としての前記有機ＥＬ素子を装着した構成とすることで、クリップ部の長手方向の一辺が紙面もしくは資料に接するように載置されて安定するので、クリップ部に装着された有機ＥＬ素子からの光を効果的に紙面もしくは資料面に向けて照射することが可能となる。
【発明を実施するための最良の形態】
【００１２】
以下、この発明にかかる照明機能付き筆記具について、図に示す実施の形態に基づいて説明する。図１および図２はこの発明の筆記具をボールペンに適用した例を示しており、図１は軸筒の先端部にキャップ部材が装着された状態において、キャップ部材を断面図で示している。また図２は同じくキャップ部材を、これに備えられたクリップ部が正面に向いた状態で示したものである。
【００１３】
図１および図２に示すように、筆記具本体を構成する軸筒１の先端部には、円錐状に形成された口金２が取り付けられ、この口金２内を介して筆記チップとしてのボールチップ３が口金２より突出した状態で装着されている。そして、前記口金２およびボールチップ３を覆うようにして外形が円筒状に形成されたキャップ部材４が前記軸筒１に対して着脱可能に装着されている。
【００１４】
前記キャップ部材４は、図１に示す上下方向において、天冠部５と筒体部６に別けて構成されており、前記天冠部５と筒体部６は、両者にそれぞれ形成された外捩子および内捩子を介して互いに接合されている。前記天冠部５の頂部にはプッシュノブ７が取り付けられ、その内部にはスイッチ８が収納されている。
【００１５】
前記プッシュノブ７は、その裏面に配置されたコイルバネ９により天冠部５より突出されるように付勢されており、前記プッシュノブ７をプッシュ操作することにより、スイッチ８が動作されるように構成されている。この例における前記スイッチ８は、好ましくはプッシュロック機構を備え、前記プッシュノブ７をプッシュ操作することでロックされてオン（ＯＮ）状態になされ、再びプッシュノブ７をプッシュ操作することでロックが解除されてオフ（ＯＦＦ）状態になされるように構成されている。
【００１６】
前記天冠部５の周面には、円環状に形成されたクリップ取り付け金具１０ａが嵌め込まれており、このクリップ取り付け金具１０ａを一体に形成したクリップ部１０が、前記筒体部６に沿うようにして取り付けられている。そして、クリップ部１０の外表面には図２にも示されているように、面発光光源としての有機ＥＬ素子１１がクリップ部の長手方向に沿って装着されている。
【００１７】
一方、キャップ部材４を構成する前記筒体部６は、図１に示すようにその下半部が前記した口金２およびボールチップ３を覆う収容空間１２を構成しており、また筒体部６の上半部は、前記有機ＥＬ素子１１を点灯駆動させる電源部としての電池１３ａ〜１３ｃの収容空間１４を構成している。したがって、前記したように捩子止めされた天冠部５を、筒体部６より取り外すことにより、電池１３ａ〜１３ｃを交換することができる。これにより前記有機ＥＬ素子１１には、直列接続された電池１３ａ〜１３ｃからの駆動電流が、前記スイッチ８を介して供給されるように作用する。
【００１８】
図３は、前記した構成のキャップ部材４を用いて、紙面等の一部を照明する使用例を示したものである。このキャップ部材４は、水平状態の紙面２０上に載置した場合、クリップ部１０の長手方向の一辺が図３に示したように紙面２０に接するようにして安定する。そして、この実施の形態においては、面発光光源としての有機ＥＬ素子１１が前記クリップ部１０の長手方向に沿って装着されているので、有機ＥＬ素子からの光を安定した状態で、効果的に紙面もしくは資料面に向けて照射することが可能となる。
【００１９】
したがって、前記したボールペンを用いて紙面２０に筆記する場合においても、また資料等を参照する場合においても、前記キャップ部材を紙面上に適宜載置することで、光源が揺れ動くことなく安定した照明効果を得ることができる。
【００２０】
図４は前記した面発光光源として機能する有機ＥＬ素子の積層構成例を拡大断面図で示したものである。この有機ＥＬ素子１１は、一つの例として透明な素材により形成された基板２１上にＩＴＯなどの透明電極２２がベタ電極として形成され、前記透明電極２２上に、さらに発光層を含む有機膜２３が形成されると共に、当該有機膜２３上に対向電極２４をベタ電極として形成した構成になされている。
【００２１】
そして、前記対向電極２４の背面には封止部材２５が装着され、この封止部材２５によって、前記した透明電極２２、有機膜２３、対向電極２４よりなる有機ＥＬ素子１１が、前記基板２１との間で封止された構成にされている。そして、前記透明電極２２と対向電極２４との間に、前記した電池１３ａ〜１３ｃからの駆動電流が流される。これにより有機膜２３において発生する光Ｌは、前記透明電極２２および基板２１を透過し、照明光として利用することができる。
【００２２】
図５は、前記した有機ＥＬ素子の他の積層構成例を示したものである。この図５に示す有機ＥＬ素子１１は、導電性の中間層を挟んで複数の有機ＥＬ素子を重畳させたマルチフォトンエミッション（ＭＰＥ）の構成例を示している。なお、図５に示す構成は二層の発光層を重畳させた例を示している。
【００２３】
すなわち、前記した基板２１上にＩＴＯなどの透明電極２２がベタ電極として形成され、前記透明電極２２上に、さらに発光層を含む有機膜２３ａが形成されると共に、当該有機膜２３ａ上に光透過性の中間層２６が積層される。これにより第１の有機ＥＬ素子が形成されている。
【００２４】
そして、前記中間層２６上には発光層を含む有機膜２３ｂが形成されると共に、その上に対向電極２４が積層されている。この中間層２６、有機膜２３ｂ、対向電極２４により第２の有機ＥＬ素子が形成されている。そして、前記対向電極２４の背面には、図４に示す例と同様に封止部材２５が装着されている。
【００２５】
前記した積層構成により、二層の有機ＥＬ素子が中間層２６を挟んで直列接続された構成になされ、二層の発光層を持つ直列積層型有機ＥＬ素子を得ることができる。この構成において、前記透明電極２２と対向電極２４との間に、前記した電池１３ａ〜１３ｃからの駆動電流が流される。これにより有機膜２３ａおよび２３ｂにおいて発生する光Ｌは、前記透明電極２２および基板２１を透過し、照明光として利用することができる。
【００２６】
この図５に示す構成によると、図４に示す単層の発光層のものに比較して、小さな電流密度で必要な一定の輝度を得ることができる。また、有機膜２３ａおよび２３ｂの発光色が互いに補色関係となるように組み合わせることで、照明として理想的なほぼ白色光を得ることができる。
【００２７】
以上説明した実施の形態においては、キャップ部材に備えられたクリップ部１０の長手方向に沿って、面発光光源としての有機ＥＬ素子１１が装着されているが、この有機ＥＬ素子は、キャップ部材の例えば円筒面に沿って装着されていてもよい。
【００２８】
この場合、例えば前記クリップ部の取り付け位置に対向するキャップ部材の背面側の円筒面に有機ＥＬ素子を装着した構成とした場合、前記したとおりクリップ部の一部が紙面に接するようにして安定するので、その背面側の円筒面に沿って装着された有機ＥＬ素子からの光を安定して紙面等に向けて照射することが可能となる。
【００２９】
また、前記した実施の形態においては、図４に基づいて説明したとおり、有機ＥＬ素子として透明電極２２および背面電極２４をそれぞれベタ電極として構成しているが、前記透明電極および背面電極をそれぞれストライブ状に形成して互いに交差するように配置することで、ドットマトリクス構成にすることができる。これによると、ドライブ用のＩＣチップを具備させることで有機ＥＬ素子を文字、図形等を表示可能にした照明装置として形成させることができる。
【００３０】
さらに、前記した実施の形態においては、面発光光源として有機ＥＬ素子を用いた例を挙げているが、前記面発光光源としては、例えば多数のＬＥＤを縦横方向に配置することで実現させることもでき、さらに面発光光源として無機ＥＬ素子を用いることもできる。
【００３１】
また、前記した実施の形態においては、前記プッシュノブ７をプッシュ操作することにより、プッシュロック機構を備えたスイッチ８をオン・オフ動作させるように構成されているが、前記したスイッチ８においても、キャップ部材の例えば周側面に沿って移動する操作ノブを備え、これによりスライドスイッチをオン、オフ制御させる構成であってもよい。
【００３２】
また、前記プッシュノブ７をプッシュ操作するたびに、照明オン、文字図形表示、照明表示オフのように順次切り替えられるように構成されていてもよく、これは前記したスライドスイッチを三段階に切り替えるようにすることで、同様の機能を持たせることもできる。
【００３３】
そして、前記した構成の照明機能付き筆記具は、実施の形態として示したボールペンに限らず、フェルトペン等を含むマーキングペンや万年筆、またこれらを組み合わせた筆記具に対して好適に採用することができる。
【図面の簡単な説明】
【００３４】
【図１】この発明にかかる照明機能付き筆記具の主要部を示した断面図である。
【図２】同じくキャップ部材に備えられたクリップ部を正面に視た状態を示す正面図である。
【図３】キャップ部材に装着した面発光光源を用いて紙面の一部を照明する使用例を示した斜視図である。
【図４】面発光光源としての有機ＥＬ素子の積層構成例を示した断面図である。
【図５】同じく有機ＥＬ素子の他の積層構成例を示した断面図である。
【符号の説明】
【００３５】
１              軸筒
３              ボールチップ（筆記チップ）
４              キャップ部材
５              天冠部
６              筒体部
７              プッシュノブ
８              スイッチ
１０            クリップ部
１１            有機ＥＬ素子（面発光光源）
１３ａ〜１３ｃ  電池（電源部）
２０            紙面
【図１】
2008201071.tif 000003
【図２】
2008201071.tif 000004
【図３】
2008201071.tif 000005
【図４】
2008201071.tif 000006
【図５】
2008201071.tif 000007